(57)【要約】【課題】渦状部の内周から渦状部の半径方向外方へ引出されてなる軸方向突出引出し部を有するコイルを備え低背化が図られたコイル部品の提供。【解決手段】第１の１次巻線２２の軸方向突出引出し部２２Ｃの略半径方向引出し部２２Ｆは第１の１次巻線２２の略軸方向であってドライブ巻線２４に接近する方向へ突出しており、ドライブ巻線２４の軸方向突出引出し部２４Ｃの略半径方向引出し部２４Ｆはドライブ巻線２４の略軸方向であって第１の１次巻線２２に接近する方向へ突出している。更に第１の１次巻線２２の平面方向引出し部２２Ｂ及び軸方向突出引出し部２２Ｃの略半径方向引出し部２２Ｄ、２２Ｆの引出し方向とドライブ巻線２４の平面方向引出し部２４Ｂ及び軸方向突出引出し部２４Ｃの略半径方向引出し部２４Ｄ、２４Ｆの引出し方向とは、渦状部２２Ａ、２４Ａの周方向において異なる位置関係にある。【選択図】図４
2010171161.tif 000002
【特許請求の範囲】
【請求項１】
導線が渦を巻くようにして平面状に巻回され中心位置にはコア挿通空間が形成された渦状部と、該渦状部の外周から該渦状部の略半径方向外方へ該平面と平行に該導線の一端部が引出されてなる平面方向引出し部と、該コア挿通空間を画成する該渦状部の内周から該渦状部の略軸方向へ突出し該渦状部を乗り越えるようにして該渦状部の略半径方向外方へ該導線の他端部が引出されてなる軸方向突出引出し部とを有し、互いに同軸的に積層配置された複数のコイルと、
積層方向において隣接する該コイル間にそれぞれ配置され、該積層方向において隣接する該コイル同士を絶縁する絶縁ケースと、
該コア挿通空間に挿入されるコアとを備え、
隣接して積層配置された２つの該コイルのうちの一方の該コイルの該軸方向突出引出し部の突出方向は、該コイルの略軸方向であって該隣接して積層配置された２つのコイルのうちの他方の該コイルに接近する方向へ突出し、該隣接して積層配置された２つのコイルのうちの他方の該コイルの該軸方向突出引出し部の突出方向は、該コイルの略軸方向であって該隣接して積層配置された２つのコイルのうちの一方の該コイルに接近する方向へ突出し、
該渦状部の周方向において、該一方のコイルの該軸方向引出し部及び該平面方向引出し部は、該他方のコイルの該軸方向引出し部及び該平面方向引出し部とは異なる方向へ引出されていることを特徴とするコイル部品。
【請求項２】
該一方のコイルに対向する該絶縁ケースの対向面には、該軸方向突出引出し部を嵌入可能な凹部が形成されていることを特徴とする請求項１記載のコイル部品。
【請求項３】
該コイルの軸方向において一の該コイルを挟むように配置された一対の該絶縁ケースの一方のケースの一部であって該一のコイルの内周相当部分には該内周に沿った内周環状溝が形成され該一のコイルの外周相当部分には該外周に沿った外周環状溝が形成され、
該一対の絶縁ケースの他方のケースの一部であって該一のコイルの内周相当部分には該内周環状溝に係合可能な内周環状凸壁が該内周に沿って設けられ該一のコイルの外周相当部分には該外周環状溝に係合可能な外周環状凸壁が該外周に沿って設けられていることを特徴とする請求項１又は請求項２記載のコイル部品。
【請求項４】
該複数のコイルは１次側コイルと２次側コイルとを有し、該一のコイルは該２次側コイルであることを特徴とする請求項３記載のコイル部品。
【請求項５】
該軸方向突出引出し部、該平面方向引出し部の少なくとも一方は、該渦状部の略半径方向外方へ引出された略半径方向引出し部と、該略半径方向引出し部から該コイルの軸方向へ折り曲げられて延出する軸方向延出部とを有し、
該コイルの軸方向において一の該コイルを挟むように配置された一対の該絶縁ケースの一方のケースの一部であって該一のコイルの該渦状部と他の該コイルの該軸方向延出部との間の部分に相当する部分には、該一のコイルの該渦状部と該他のコイルの該軸方向延出部とを遮蔽する遮蔽壁が設けられ、
該一対の絶縁ケースのうちの他方の絶縁ケースの一部であって該一のコイルの該渦状部と他の該コイルの該軸方向延出部との間の部分に相当する部分には、該遮蔽壁が係合可能な遮蔽溝が形成されていることを特徴とする請求項１又は請求項２記載のコイル部品。
【請求項６】
該複数のコイルは１次側コイルと２次側コイルとを有し、該一のコイルは該１次側コイルであり、該他のコイルは該２次側コイルであることを特徴とする請求項５記載のコイル部品。
【請求項７】
該複数のコイルは少なくとも１つの１次側コイルと複数の２次側コイルとを有し該コイルの軸方向において該１次側コイルは２つの該２次側コイルに挟まれる位置関係で積層配置されるか、又は、該複数のコイルは複数の１次側コイルと少なくとも１つの２次側コイルとを有し該コイルの軸方向において該２次側コイルは２つの該１次側コイルに挟まれる位置関係で積層配置されることを特徴とする請求項１乃至請求項６のいずれか一記載のコイル部品。
【請求項８】
該複数のコイルは１次側コイルと２次側コイルとを有し、
全ての該１次側コイルの該軸方向突出引出し部及び該平面方向引出し部は、該渦状部の所定の半径方向へ第１所定位置に至るまで平行に引出され該第１所定位置において該コイルの軸方向へ折り曲げられ、
全ての該２次側コイルの該軸方向突出引出し部及び該平面方向引出し部は、該渦状部の所定の半径方向とは反対方向へ第２所定位置に至るまで平行に引出され該第２所定位置において該コイルの軸方向へ折り曲げられていることを特徴とする請求項１記載のコイル部品。
【発明の詳細な説明】
【技術分野】
【０００１】
本発明はコイル部品に関し、特に電源装置などに用いられるトランスやチョークコイルなどのインダクタンス部品であって、複数のコイルと当該複数のコイルを挿通するコアとを備えるコイル部品に関する。
【背景技術】
【０００２】
スイッチング電源やインバータ等に使用されるトランスやチョークコイル等のインダクタンス部品は、コアとコイルを主要な構成要素とし、コイル間の相互電磁誘導作用に基づいて、交流電圧の変圧を行ったり、入力回路と出力回路との間の絶縁等を行なったりする場合に利用される電子部品たるコイル部品として従来より知られている。
【０００３】
トランスは、複数のコイルと、絶縁シートやボビンやケース等の絶縁性の板状部材と、コアとを備えている。複数のコイルはそれぞれ、導線が渦を巻くようにして平面状に巻回された渦状部と、渦状部の外周から渦状部の半径方向外方へ平面と平行に導線の一端部が引出されてなる平面方向引出し部と、コア挿通空間を画成する渦状部の内周から渦状部の軸方向へ突出して渦状部を乗り越えるようにして渦状部の半径方向外方へ導線の他端部が引出されてなる軸方向突出引出し部とを有している。
【０００４】
渦状部の中心位置にはコア挿通空間が形成され、コア挿通空間にはコアを挿通可能である。複数のコイルは同軸的な位置関係で積層配置されている。絶縁性の板状部材は積層配置された複数のコイル間に挿入された状態とされている。このような構成のコイル部品たるトランスは、例えば実開平７−３１２０号公報に記載されている。
【先行技術文献】
【特許文献】
【０００５】
【特許文献１】実開平７−３１２０号公報
【発明の概要】
【発明が解決しようとする課題】
【０００６】
しかし、上記公報記載のトランスのコイルでは、軸方向突出引出し部は、コイルの軸方向における一の方向へ引出され渦状部を乗り越えるようにして渦状部の半径方向外方へ引出されるため、コイル１つについてコイルの軸方向において、渦状部と軸方向突出引出し部との厚さ、即ち、コイルを構成する導線２本分の厚さが必然的に生じていた。このため、このように渦状部の内周から渦状部の半径方向外方へ引出されてなる軸方向突出引出し部を有するコイルを備えるコイル部品の場合には、コイルの軸方向におけるコイル部品の低背化を図ることは困難であった。
【０００７】
そこで本発明は、渦状部の内周から渦状部の半径方向外方へ引出されてなる軸方向突出引出し部を有するコイルを備え低背化が図られたコイル部品を提供することを目的とする。
【課題を解決するための手段】
【０００８】
上記目的を達成するために、本発明は、導線が渦を巻くようにして平面状に巻回され中心位置にはコア挿通空間が形成された渦状部と、該渦状部の外周から該渦状部の略半径方向外方へ該平面と平行に該導線の一端部が引出されてなる平面方向引出し部と、該コア挿通空間を画成する該渦状部の内周から該渦状部の略軸方向へ突出し該渦状部を乗り越えるようにして該渦状部の略半径方向外方へ該導線の他端部が引出されてなる軸方向突出引出し部とを有し、互いに同軸的に積層配置された複数のコイルと、積層方向において隣接する該コイル間にそれぞれ配置され、該積層方向において隣接する該コイル同士を絶縁する絶縁ケースと、該コア挿通空間に挿入されるコアとを備え、隣接して積層配置された２つの該コイルのうちの一方の該コイルの該軸方向突出引出し部の突出方向は、該コイルの略軸方向であって該隣接して積層配置された２つのコイルのうちの他方の該コイルに接近する方向へ突出し、該隣接して積層配置された２つのコイルのうちの他方の該コイルの該軸方向突出引出し部の突出方向は、該コイルの略軸方向であって該隣接して積層配置された２つのコイルのうちの一方の該コイルに接近する方向へ突出し、該渦状部の周方向において、該一方のコイルの該軸方向引出し部及び該平面方向引出し部は、該他方のコイルの該軸方向引出し部及び該平面方向引出し部とは異なる方向へ引出されているコイル部品を提供している。
【０００９】
隣接して積層配置された２つのコイルのうちの一方のコイルの軸方向突出引出し部の突出方向は、コイルの略軸方向であって隣接して積層配置された２つのコイルのうちの他方のコイルに接近する方向へ突出し、隣接して積層配置された２つのコイルのうちの他方のコイルの軸方向突出引出し部の突出方向は、コイルの略軸方向であって隣接して積層配置された２つのコイルのうちの一方のコイルに接近する方向へ突出し、渦状部の周方向において、一方のコイルの軸方向引出し部及び平面方向引出し部は、他方のコイルの軸方向引出し部及び平面方向引出し部とは異なる方向へ引出されているため、一方のコイルと他方のコイルとの間の導線１本分と絶縁ケースの厚みとを足し合わせた空間において、一方のコイルの軸方向突出引出し部と他方のコイルの軸方向突出引出し部とを収容することができる。このため、全ての軸方向突出引出し部の突出方向をコイルの軸方向であって同一の方向へ突出させた場合と比較して、隣接して積層配置された２つのコイル一対についてコイルの軸方向においてコイル部品の寸法を導線１本分小さくすることができる。
【００１０】
ここで、該一方のコイルに対向する該絶縁ケースの対向面には、該軸方向突出引出し部を嵌入可能な凹部が形成されていることが好ましい。
【００１１】
一方のコイルに対向する絶縁ケースの対向面には、軸方向突出引出し部を嵌入可能な凹部が形成されているため、凹部に軸方向突出引出し部を嵌入することでコイルの軸方向において更にコイル部品の低背化を図ることができる。
【００１２】
また、該コイルの軸方向において一の該コイルを挟むように配置された一対の該絶縁ケースの一方のケースの一部であって該一のコイルの内周相当部分には該内周に沿った内周環状溝が形成され該一のコイルの外周相当部分には該外周に沿った外周環状溝が形成され、該一対の絶縁ケースの他方のケースの一部であって該一のコイルの内周相当部分には該内周環状溝に係合可能な内周環状凸壁が該内周に沿って設けられ該一のコイルの外周相当部分には該外周環状溝に係合可能な外周環状凸壁が該外周に沿って設けられていることが好ましい。
【００１３】
コイルの軸方向において一のコイルを挟むように配置された一対の絶縁ケースの一方のケースの一部であって一のコイルの内周相当部分には内周に沿った内周環状溝が形成され一のコイルの外周相当部分には外周に沿った外周環状溝が形成され、一対の絶縁ケースの他方のケースの一部であって一のコイルの内周相当部分には内周環状溝に係合可能な内周環状凸壁が内周に沿って設けられ一のコイルの外周相当部分には外周環状溝に係合可能な外周環状凸壁が外周に沿って設けられているため、一のコイルと、コイルの軸方向において一のコイルと隣接して積層配置された他のコイルとの間の沿面距離をより長くすることができ、一のコイルと他のコイルとの間の絶縁を図ることができる。
【００１４】
また、該複数のコイルは１次側コイルと２次側コイルとを有し、該一のコイルは該２次側コイルであることが好ましい。複数のコイルは１次側コイルと２次側コイルとを有し、一のコイルは２次側コイルであるため、コイル部品を、１次側コイルと２次側コイルとの間の沿面距離をより長くすることで絶縁が図られたトランスとすることができる。
【００１５】
また、該軸方向突出引出し部、該平面方向引出し部の少なくとも一方は、該渦状部の略半径方向外方へ引出された略半径方向引出し部と、該略半径方向引出し部から該コイルの軸方向へ折り曲げられて延出する軸方向延出部とを有し、該コイルの軸方向において一の該コイルを挟むように配置された一対の該絶縁ケースの一方のケースの一部であって該一のコイルの該渦状部と他の該コイルの該軸方向延出部との間の部分に相当する部分には、該一のコイルの該渦状部と該他のコイルの該軸方向延出部とを遮蔽する遮蔽壁が設けられ、該一対の絶縁ケースのうちの他方の絶縁ケースの一部であって該一のコイルの該渦状部と他の該コイルの該軸方向延出部との間の部分に相当する部分には、該遮蔽壁が係合可能な遮蔽溝が形成されていることが好ましい。
【００１６】
軸方向突出引出し部、平面方向引出し部の少なくとも一方は、渦状部の略半径方向外方へ引出された略半径方向引出し部と、略半径方向引出し部からコイルの軸方向へ折り曲げられて延出する軸方向延出部とを有し、コイルの軸方向において一のコイルを挟むように配置された一対の絶縁ケースの一方のケースの一部であって一のコイルの渦状部と他のコイルの軸方向延出部との間の部分に相当する部分には、一のコイルの渦状部と他のコイルの軸方向延出部とを遮蔽する遮蔽壁が設けられ、一対の絶縁ケースのうちの他方の絶縁ケースの一部であって一のコイルの渦状部と他のコイルの軸方向延出部との間の部分に相当する部分には、遮蔽壁が係合可能な遮蔽溝が形成されているため、一のコイルの渦状部と他のコイルの軸方向延出部との間の沿面距離をより長くすることができ、一のコイルの渦状部と他のコイルの軸方向延出部との間の絶縁を図ることができる。
【００１７】
また、該複数のコイルは１次側コイルと２次側コイルとを有し、該一のコイルは該１次側コイルであり、該他のコイルは該２次側コイルであることが好ましい。複数のコイルは１次側コイルと２次側コイルとを有し、一のコイルは１次側コイルであり、他のコイルは２次側コイルであるため、コイル部品を、１次側コイルと２次側コイルとの間の沿面距離をより長くすることで絶縁が図られたトランスとすることができる。
【００１８】
また、該複数のコイルは少なくとも１つの１次側コイルと複数の２次側コイルとを有し該コイルの軸方向において該１次側コイルは２つの該２次側コイルに挟まれる位置関係で積層配置されるか、又は、該複数のコイルは複数の１次側コイルと少なくとも１つの２次側コイルとを有し該コイルの軸方向において該２次側コイルは２つの該１次側コイルに挟まれる位置関係で積層配置されることが好ましい。
【００１９】
複数のコイルは少なくとも１つの１次側コイルと複数の２次側コイルとを有しコイルの軸方向において１次側コイルは２つの２次側コイルに挟まれる位置関係で積層配置されるか、又は、複数のコイルは複数の１次側コイルと少なくとも１つの２次側コイルとを有しコイルの軸方向において２次側コイルは２つの１次側コイルに挟まれる位置関係で積層配置されるため、１次側コイルと２次側コイルとの間の磁気結合をよりよくすることができる。
【００２０】
また、該複数のコイルは１次側コイルと２次側コイルとを有し、全ての該１次側コイルの該軸方向突出引出し部及び該平面方向引出し部は、該渦状部の所定の半径方向へ第１所定位置に至るまで平行に引出され該第１所定位置において該コイルの軸方向へ折り曲げられ、全ての該２次側コイルの該軸方向突出引出し部及び該平面方向引出し部は、該渦状部の所定の半径方向とは反対方向へ第２所定位置に至るまで平行に引出され該第２所定位置において該コイルの軸方向へ折り曲げられていることが好ましい。
【００２１】
複数のコイルは１次側コイルと２次側コイルとを有し、全ての１次側コイルの軸方向突出引出し部及び平面方向引出し部は、渦状部の所定の半径方向へ第１所定位置に至るまで平行に引出され第１所定位置においてコイルの軸方向へ折り曲げられ、全ての２次側コイルの軸方向突出引出し部及び平面方向引出し部は、渦状部の所定の半径方向とは反対方向へ第２所定位置に至るまで平行に引出され第２所定位置においてコイルの軸方向へ折り曲げられているため、１次側コイルの軸方向突出引出し部及び平面方向引出し部は、所定の半径方向において第１所定位置よりも突出せずに済み、２次側コイルの軸方向突出引出し部及び平面方向引出し部は、所定の半径方向とは反対方向において第２所定位置よりも突出せずに済む。このため、所定の半径方向、及び所定の半径方向とは反対の方向において、コイル部品の小型化を図ることができ、実装基板上にコイル部品を実装する際の実装面積の低減を図ることができる。
【発明の効果】
【００２２】
以上により本発明は、渦状部の内周から渦状部の半径方向外方へ引出されてなる軸方向突出引出し部を有するコイルを備え低背化が図られたコイル部品を提供することができる。
【図面の簡単な説明】
【００２３】
【図１】本発明の実施の形態によるコイル部品を示す上方斜視図。
【図２】本発明の実施の形態によるコイル部品を示す下方斜視図。
【図３】本発明の実施の形態によるコイル部品を示す上方分解斜視図。
【図４】本発明の実施の形態によるコイル部品を示す略側方分解斜視図。
【図５】本発明の実施の形態によるコイル部品を示す略下方分解斜視図。
【図６】本発明の実施の形態によるコイル部品を示す回路図。
【発明を実施するための形態】
【００２４】
本発明の実施の形態によるコイル部品について図１乃至図６に基づき説明する。図１に示されるようにコイル部品１は、より具体的には略直方体形状をなしており、ノートパソコン等に用いられるＡＣアダプタ内に収容される電源トランスである。コイル部品１は、図３に示されるように３つの１次巻線２２、４２、６２と、ドライブ巻線２４と、２つの２次巻線３２、５２と、第１絶縁樹脂ボビン３１と、第２絶縁樹脂ボビン４１と、第３絶縁樹脂ボビン５１と、第４絶縁樹脂ボビン６１と、板状絶縁部材２３と、絶縁樹脂端子台２１と、絶縁樹脂カバー６３と、第１磁心１１と、第２磁心１２と、テープ１３とを備えている。
【００２５】
第１磁心１１と第２磁心１２とは同一形状であるため第１磁心１１についてのみ説明する。第１磁心１１は、より具他的にはＭｎ−Ｚｎからなる導電性フェライトコアである。第１磁心１１は、図３に示されるように、略長方形状の板状をなす平板部１１Ａを有しており、略長方形状の平板部１１Ａの一対の短辺全体にわたって平板部１１Ａの上面から図２の上方へ突出する端縁突出部１１Ｂ、１１Ｂがそれぞれ設けられている。また、平板部１１Ａの上面の中央位置には、当該上面から図３の上方へ突出する円柱形状の中央突出部１１Ｃが設けられている。
【００２６】
図１及び図２に示されるようにコイル部品１が組立てられることにより、第１磁心１１の端縁突出部１１Ｂの突出端面と第２磁心１２の端縁突出部１２Ｂの突出端面とが互いに対向当接し、また、第１磁心１１の中央突出部１１Ｃと第２磁心１２の中央突出部１１Ｃとが、後述の端子台貫通孔２１ａ、第１〜第３の１次巻線２２、４２、６２、ドライブ巻線２４、及び第１、第２の２次巻線３２、５２のコア挿通空間２２ａ、４２ａ、６２ａ、２４ａ、３２ａ、５２ａ、板状絶縁部材２３の絶縁部材貫通孔２３ａ、第１〜第４絶縁樹脂ボビン３１、４１、５１、６１の第１〜第４ボビン貫通孔３１ａ、４１ａ、５１ａ、６１ａ、絶縁樹脂カバー６３のカバー貫通孔６３ａを貫通して、第１磁心１１の中央突出部１１Ｃの突出端面と第２磁心１２の中央突出部１１Ｃの突出端面とが互いに対向当接するように構成されている。
【００２７】
絶縁樹脂端子台２１は、円形状に膨らんだ円形部２１Ｂをその中央部に有する略長方形状の板状をなす端子台板状部２１Ａを有しており、当該円形部２１Ｂの中央には、円形部２１Ｂと同軸的に開口する円形の端子台貫通孔２１ａが形成されている。端子台板状部２１Ａの上面であって端子台貫通孔２１ａの開口の周囲には、開口の周囲全体に渡って端子台板状部２１Ａの上面から図３の上方へ突出し同軸的に配置された二重の端子台開口壁２１Ｃが設けられている。二重の端子台開口壁２１Ｃによって、二重の端子台開口壁２１Ｃ間には図３の上方へ開口する内周環状溝２１ｂが形成されている。
【００２８】
また、円形部２１Ｂの周縁には、端子台板状部２１Ａの上面から図３の上方へ突出する端子台縁部壁２１Ｄが設けられている。また、略長方形状の端子台板状部２１Ａの図３の一番下の位置に図示されている角部に相当する部分の近傍部分は、円形部２１Ｂよも図３の上方へ高いドライブ巻線平面方向引出し部載置部２１Ｅを有しており、ドライブ巻線平面方向引出し部載置部２１Ｅの一部であって略長方形状の端子台板状部２１Ａの図３の左下方に位置する短辺近傍の位置には、２つの径の小さな貫通孔２１ｃ、２１ｄが形成されている。
【００２９】
また、略長方形状の端子台板状部２１Ａの図３の左下方に位置する短辺近傍の位置であってドライブ巻線平面方向引出し部載置部２１Ｅ以外の部分は、ドライブ巻線平面方向引出し部載置部２１Ｅよりも更に図３の上方へ一段高い１次巻線平面方向引出し部配置部２１Ｆをなしている。１次巻線平面方向引出し部配置部２１Ｆの一部であって略長方形状の端子台板状部２１Ａの図３の左下方に位置する短辺近傍の部分には、当該短辺に沿って６つの径の小さな貫通孔２１ｅ〜２１ｊが形成されている。６つの貫通孔２１ｅ〜２１ｊのうちのドライブ巻線平面方向引出し部載置部２１Ｅ側から数えて４番目の貫通孔２１ｈと６番目貫通孔２１ｊには、円形部２１Ｂ上方に位置する空間から延出する溝２１ｏ、２１ｐが連通するように形成されている。
【００３０】
略長方形状をなす端子台板状部２１Ａの一対の短辺のうちの図３の右上側に位置する部分は、円形部２１Ｂよも図３の上方へ高い２次巻線平面方向引出し部配置部２１Ｇを有している。当該短辺近傍部分には、当該短辺に平行に延出し図３の上方たる後述の１次巻線２２、２次巻線３２等の軸方向へ突出する遮蔽壁２１Ｈが設けられている。遮蔽壁２１Ｈと当該短辺との間の位置には、当該短辺に沿って４つの径の小さな貫通孔２１ｋ〜２１ｎが形成されている。絶縁樹脂端子台２１は絶縁ケースに相当する。
【００３１】
円形部２１Ｂの図５の下面であって円形部２１Ｂの円周部分には、略長方形状の端子台板状部２１Ａの短辺に平行に延出する一対の壁部２１Ｉ、２１Ｉが設けられている。壁部２１Ｉは、図１に示されるようにコイル部品１が組立てられることにより、第１磁心１１の側面１１Ｄと当接し、絶縁樹脂端子台２１よりも図５の下方に位置する巻線２２、２４３２、４２、５２、６２の部分と第１磁心１１との絶縁を図ることができる。
【００３２】
第１〜第３の１次巻線２２、４２、６２、ドライブ巻線２４、及び第１、第２の２次巻線３２、５２は、導体からなる芯線と芯線の周面を被覆する絶縁被覆とを有する導線が、軸心を中心として半径方向に径が拡大するように平面的に且つ軸心方向に一重構造となるように、いわゆる整列巻きにより巻回されて構成されている。
【００３３】
より具体的には、これらの巻線２２、２４、３２、４２、５２、６２は、導線が渦を巻くようにして平面状に巻回された渦状部２２Ａ、２４Ａ、３２Ａ、４２Ａ、５２Ａ、６２Ａを有しており、渦状部２２Ａ、２４Ａ、３２Ａ、４２Ａ、５２Ａ、６２Ａの中心位置にはコア挿通空間２２ａ、２４ａ、３２ａ、４２ａ、５２ａ、６２ａが形成されている。これらの巻線２２、２４、３２、４２、５２、６２の渦状部２２Ａ、２４Ａ、３２Ａ、４２Ａ、５２Ａ、６２Ａは、図３等に示されるように互いに同軸的に積層配置されている。
【００３４】
巻線２２、２４、３２、４２、５２、６２を構成する導線の一端部は、渦状部２２Ａ、２４Ａ、３２Ａ、４２Ａ、５２Ａ、６２Ａの外周から渦状部２２Ａ、２４Ａ、３２Ａ、４２Ａ、５２Ａ、６２Ａの略半径方向外方へ平面状をなす渦状部２２Ａ、２４Ａ、３２Ａ、４２Ａ、５２Ａ、６２Ａの当該平面と平行に導線の一端部がそれぞれ引出されて平面方向引出し部２２Ｂ、２４Ｂ、３２Ｂ、４２Ｂ、５２Ｂ、６２Ｂをなしている。また、導線の他端部は、コア挿通空間２２ａ、２４ａ、３２ａ、４２ａ、５２ａ、６２ａを画成する渦状部２２Ａ、２４Ａ、３２Ａ、４２Ａ、５２Ａ、６２Ａの内周から渦状部２２Ａ、２４Ａ、３２Ａ、４２Ａ、５２Ａ、６２Ａの略軸方向へそれぞれ突出した後に渦状部２２Ａ、２４Ａ、３２Ａ、４２Ａ、５２Ａ、６２Ａをそれぞれ乗り越えるようにして渦状部２２Ａ、２４Ａ、３２Ａ、４２Ａ、５２Ａ、６２Ａの略半径方向外方へ導線の他端部が引出された軸方向突出引出し部２２Ｃ、２４Ｃ、３２Ｃ、４２Ｃ、５２Ｃ、６２Ｃをなしている。
【００３５】
ここで「略半径方向外方」とは、必ずしも渦状部２２Ａ、２４Ａ、３２Ａ、４２Ａ、５２Ａ、６２Ａの中心からその半径方向へ向かう正確な半径方向外方ではなく、渦状部２２Ａ、２４Ａ、３２Ａ、４２Ａ、５２Ａ、６２Ａの外方へ向かってコア挿通空間２２ａ、２４ａ、３２ａ、４２ａ、５２ａ、６２から離間してゆく方向を意味する。また「略軸方向」とは必ずしも巻線２２、２４、３２、４２、５２、６２の軸方向と平行な方向へ正確に突出しているという意味ではなく、渦状部２２Ａ、２４Ａ、３２Ａ、４２Ａ、５２Ａ、６２Ａの上面から図３の上方又は下方であって、当該軸方向に平行な場合のみならず、当該軸方向に対して所定の角度をなす方向へ突出している場合も含む。
【００３６】
平面方向引出し部２２Ｂは、図３に示されるように、それぞれ渦状部２２Ａの略半径方向外方へ引出された略半径方向引出し部２２Ｄと、略半径方向引出し部２２Ｄから渦状部２２Ａの軸方向、即ち、図３の下方へ折り曲げられて延出する軸方向延出部２２Ｅとを有している。軸方向突出引出し部２２Ｃは、図３に示されるように、それぞれ渦状部２２Ａの略半径方向外方へ引出された略半径方向引出し部２２Ｆと、略半径方向引出し部２２Ｆから渦状部２２Ａの軸方向、即ち、図３の下方へ折り曲げられて延出する軸方向延出部２２Ｇとを有している。
【００３７】
同様に、平面方向引出し部２４Ｂ、３２Ｂ、４２Ｂ、５２Ｂ、６２Ｂは、図３に示されるように、それぞれ渦状部２４Ａ、３２Ａ、４２Ａ、５２Ａ、６２Ａの略半径方向外方へ引出された略半径方向引出し部２４Ｄ、３２Ｄ、４２Ｄ、５２Ｄ、６２Ｄと、略半径方向引出し部からコイルの軸方向、即ち、図３の下方へ折り曲げられて延出する軸方向延出部２４Ｅ、３２Ｅ、４２Ｅ、５２Ｅ、６２Ｅを有している。また、軸方向突出引出し部２４Ｃ、３２Ｃ、４２Ｃ、５２Ｃ、６２Ｃは、図３に示されるように、それぞれ渦状部２４Ａ、３２Ａ、４２Ａ、５２Ａ、６２Ａの略半径方向外方へ引出された略半径方向引出し部２４Ｆ、３２Ｆ、４２Ｆ、５２Ｆ、６２Ｆと、略半径方向引出し部２４Ｆ、３２Ｆ、４２Ｆ、５２Ｆ、６２Ｆから渦状部２４Ａ、３２Ａ、４２Ａ、５２Ａ、６２Ａの軸方向、即ち、図３の下方へ折り曲げられて延出する軸方向延出部２４Ｇ、３２Ｇ、４２Ｇ、５２Ｇ、６２Ｇを有している。
【００３８】
図１に示されるようにコイル部品１が組立てられることにより、第１の１次巻線２２の平面方向引出し部２２Ｂ、軸方向突出引出し部２２Ｃの略半径方向引出し部２２Ｄ、２２Ｆは、それぞれ溝２１ｐ、２１ｏ内に収容され、平面方向引出し部２２Ｂ、軸方向突出引出し部２２Ｃの軸方向延出部２２Ｅ、２２Ｇは、貫通孔２１ｊ、２１ｈ内を貫通し、絶縁樹脂端子台２１の下面から下方へ突出して外部端子たるピン端子をなす。
【００３９】
図１に示されるようにコイル部品１が組立てられることにより、第２の１次巻線４２の平面方向引出し部４２Ｂ、軸方向突出引出し部４２Ｃの略半径方向引出し部４２Ｄ、４２Ｆは、それぞれ１次巻線平面方向引出し部配置部２１Ｆの上方に配置され、平面方向引出し部４２Ｂ、軸方向突出引出し部４２Ｃの軸方向延出部４２Ｅ、４２Ｇは、貫通孔２１ｉ、２１ｇ内を貫通し、絶縁樹脂端子台２１の下面から下方へ突出して外部端子たるピン端子をなす。
【００４０】
また、図１に示されるようにコイル部品１が組立てられることにより、第３の１次巻線６２の平面方向引出し部６２Ｂ、軸方向突出引出し部６２Ｃの略半径方向引出し部６２Ｄ、６２Ｆは、それぞれ１次巻線平面方向引出し部配置部２１Ｆの上方に配置され、平面方向引出し部６２Ｂ、軸方向突出引出し部６２Ｃの軸方向延出部６２Ｅ、６２Ｇは、貫通孔２１ｆ、２１ｅ内を貫通し、絶縁樹脂端子台２１の下面から下方へ突出して外部端子たるピン端子をなす。
【００４１】
また、図１に示されるようにコイル部品１が組立てられることにより、ドライブ巻線２４の平面方向引出し部２４Ｂ、軸方向突出引出し部２４Ｃの略半径方向引出し部２４Ｄ、２４Ｆは、それぞれドライブ巻線平面方向引出し部載置部２１Ｅの上方に配置され、平面方向引出し部２４Ｂ、軸方向突出引出し部２４Ｃの軸方向延出部２４Ｅ、２４Ｇは、貫通孔２１ｄ、２１ｃ内を貫通し、絶縁樹脂端子台２１の下面から下方へ突出して外部端子たるピン端子をなす。
【００４２】
また、図１に示されるようにコイル部品１が組立てられることにより、第１の２次巻線３２の平面方向引出し部３２Ｂ、軸方向突出引出し部３２Ｃの略半径方向引出し部３２Ｄ、３２Ｆは、それぞれ第２巻線平面方向引出し部載置部２１Ｇ上方に配置され、平面方向引出し部３２Ｂ、軸方向突出引出し部３２Ｃの軸方向延出部３２Ｅ、３２Ｇは、貫通孔２１ｌ、２１ｎ内を貫通し、絶縁樹脂端子台２１の下面から下方へ突出して外部端子たるピン端子をなす。
【００４３】
また、図１に示されるようにコイル部品１が組立てられることにより、第２の２次巻線５２の平面方向引出し部５２Ｂ、軸方向突出引出し部５２Ｃの略半径方向引出し部５２Ｄ、５２Ｆは、それぞれ第２巻線平面方向引出し部載置部２１Ｇ上方に配置され、平面方向引出し部５２Ｂ、軸方向突出引出し部５２Ｃの軸方向延出部５２Ｅ、５２Ｇは、貫通孔２１ｋ、２１ｍ内を貫通し、絶縁樹脂端子台２１の下面から下方へ突出して外部端子たるピン端子をなす。
【００４４】
絶縁樹脂端子台２１よりも図１、図２の下方に位置する平面方向引出し部２２Ｂ、２４Ｂ、３２Ｂ、４２Ｂ、５２Ｂ、６２Ｂ、軸方向突出引出し部２２Ｃ、２４Ｃ、３２Ｃ、４２Ｃ、５２Ｃ、６２Ｃの軸方向延出部２２Ｅ、２４Ｅ、３２Ｅ、４２Ｅ、５２Ｅ、６２Ｅ、２２Ｇ、２４Ｇ、３２Ｇ、４２Ｇ、５２Ｇ、６２Ｇの部分は、溶融半田に浸漬されることにより絶縁被覆が溶融して除去され半田が付着している。
【００４５】
第１〜第３の１次巻線２２、４２、６２及びドライブ巻線２４の略半径方向引出し部２２Ｄ、４２Ｄ、６２Ｄ、２４Ｄ、２２Ｆ、４２Ｆ、６２Ｆ、２４Ｆの延出端は、図１に示されるように、第１〜第３の１次巻線２２、４２、６２及びドライブ巻線２４の略半径方向引出し部２２Ｄ、４２Ｄ、６２Ｄ、２４Ｄ、２２Ｆ、４２Ｆ、６２Ｆ、２４Ｆの延出方向に垂直をなす方向、即ち、略長方形状の端子台板状部２１Ａの短辺たる図１に示される端子台板状部２１Ａの左下の端面に平行な方向において同一面上となる位置に一列に配置されている。この位置は第１所定位置に相当する。
【００４６】
また、同様に第１、第２の２次巻線３２、５２の略半径方向引出し部３２Ｄ、５２Ｄ、３２Ｆ、５２Ｆの延出端は、第１〜第３の１次巻線２２、４２、６２及びドライブ巻線２４の略半径方向引出し部２２Ｄ、４２Ｄ、６２Ｄ、２４Ｄ、２２Ｆ、４２Ｆ、６２Ｆ、２４Ｆの延出方向と反対の方向であって、第１、第２の２次巻線３２、５２の略半径方向引出し部３２Ｄ、５２Ｄ、３２Ｆ、５２Ｆの延出方向に垂直をなす方向、即ち、略長方形状の端子台板状部２１Ａの短辺たる図１に示される端子台板状部２１Ａの左上の端面に平行な方向において同一面上となる位置に一列に配置されている。この位置は第２所定位置に相当する。
【００４７】
このような構成としたため、１次巻線２２、４２、６２及びドライブ巻線２４の平面方向引出し部４２Ｂ、６２Ｂ、２４Ｂ、軸方向突出引出し部４２Ｃ、６２Ｃ、２４Ｃは、所定の半径方向において第１所定位置よりも突出せずに済み、２次巻線３２、５２の軸方向突出引出し部３２Ｂ、５２Ｂ及び平面方向引出し部３２Ｃ、５２Ｃは、当該所定の半径方向とは反対方向において第２所定位置よりも突出せずに済む。
【００４８】
ここで、「所定の半径方向」とは、図１おいて右上から左下へ向かう方向であり、「所定の半径方向とは反対方向」とは図１おいて左下から右上へ向かう方向である。このため、当該所定の半径方向、及び所定の半径方向とは反対の方向において、コイル部品１の小型化を図ることができ、図示せぬ実装基板上にコイル部品１を実装する際の実装面積の低減を図ることができる。
【００４９】
板状絶縁部材２３は、図３に示されるように、略円盤形状をなす円盤形状部２３Ａを有している。円盤形状部２３Ａの中央位置には、円盤形状部２３Ａと同軸的に開口する円形の絶縁部材貫通孔２３ａが形成されている。円盤形状部２３Ａの下面であって絶縁部材貫通孔２３ａの開口の周囲には、開口の周囲全体に渡って円盤形状部２３Ａの下面から図５の下方へ突出する内周環状凸壁２３Ｂが設けられている。内周環状凸壁２３Ｂは、図１に示されるようにコイル部品１が組立てられることにより絶縁樹脂端子台２１の内周環状溝２１ｂに係合する。
【００５０】
円盤形状部２３Ａの上面であって絶縁部材貫通孔２３ａの開口の周囲には、開口の周囲全体に渡って円盤形状部２３Ａの上面から図３の上方へ突出し同軸的に配置された二重の壁部２３Ｃが設けられている。二重の壁部２３Ｃ、２３Ｃ間には図３の上方へ開口する内周環状溝２３ｂが形成されている。また、円盤形状部２３Ａの周縁には、円盤形状部２３Ａの上面から図３の上方へ突出する板状絶縁部材縁部壁２３Ｄが設けられている。
【００５１】
また、円盤形状部２３Ａの周縁の一部には、円盤形状部２３Ａの略半径方向外方へ突出する絶縁部材ガイド部２３Ｅが設けられている。絶縁部材ガイド部２３Ｅは円盤形状部２３Ａの図３に示される上面よりも図３の下方へ下がって設けられており、その下がった分だけ図５に示されるように図の下方へ突出している。従って、ガイド部３１Ｂは円盤形状部２３Ａの図３に示される上面に対して凹部をなす。このため、当該凹部にドライブ巻線２４の軸方向突出引出し部２４Ｄ、２４Ｆを嵌入することでドライブ巻線２４の軸方向において更にコイル部品１の低背化を図ることができる。
【００５２】
絶縁部材ガイド部２３Ｅの突出端縁には、２つの切欠き２３ｃ、２３ｄが形成されたガイド壁２３Ｆが図３の上方へ延出して設けられている。切欠き２３ｃ、２３ｄは開口が広く構成されており、細い導線であっても切欠き２３ｃ、２３ｄに容易に係合可能に構成されている。切欠き２３ｃ、２３ｄにそれぞれドライブ巻線２４の平面方向引出し部２４Ｂ、軸方向突出引出し部２４Ｃの略半径方向引出し部２４Ｄ、２４Ｆの部分が係合して支持されるように構成されている。絶縁部材ガイド部２３Ｅは、図１に示されるようにコイル部品１が組立てられることにより、絶縁樹脂端子台２１のドライブ巻線平面方向引出し部載置部２１Ｅ上へ載置される。板状絶縁部材２３は絶縁ケースに相当する。
【００５３】
第１絶縁樹脂ボビン３１は略円盤形状をなす第１ボビン板状部３１Ａを有している。第１ボビン板状部３１Ａの周縁の一部には、第１ボビン板状部３１Ａの半径方向外方へ突出する第１ボビンガイド部３１Ｅが設けられている。第１ボビンガイド部３１Ｅの突出端縁には、２つの切欠き３１ｃ、３１ｄが形成されたガイド壁３１Ｆが第１ボビンガイド部３１Ｅの上面から図３の上方へ延出して設けられている。
【００５４】
２つの切欠き３１ｃ、３１ｄは開口が広く構成されており、細い導線であっても切欠き３１ｃ、３１ｄに容易に係合可能に構成されている。両端の切欠き３１ｃ、３１ｄに、それぞれ２次巻線３２の軸方向突出引出し部３２Ｃ、平面方向引出し部３２Ｂの略半径方向引出し部３２Ｆ、３２Ｄの部分が係合して支持されるように構成されている。
【００５５】
第１ボビンガイド部３１Ｅの図５に示される下面には、第１ボビンガイド部３１Ｅの延出方向に垂直の方向へ延出する一対の壁部３１Ｇ、３１Ｇが設けられている。一対の壁部３１Ｇ、３１Ｇの間の空間は遮蔽溝３１ｅを構成する。図１に示されるようにコイル部品１が組立てられることにより、遮蔽溝３１ｅには、絶縁樹脂端子台２１の遮蔽壁２１Ｈが係合する。
【００５６】
第１ボビン板状部３１Ａの中央位置には、第１ボビン板状部３１Ａと同軸的に開口する円形の第１ボビン貫通孔３１ａが形成されている。第１ボビン板状部３１Ａの下面であって第１ボビン貫通孔３１ａの開口の周囲には、開口の周囲全体に渡って第１ボビン板状部３１Ａの下面から図５の下方へ突出する第１ボビン開口下壁３１Ｂが設けられている。第１ボビン開口下壁３１Ｂは内周環状凸壁に相当し、図１に示されるようにコイル部品１が組立てられることにより板状絶縁部材２３の内周環状溝２３ｂに係合する。
【００５７】
また、第１ボビン板状部３１Ａの上面であって第１ボビン貫通孔３１ａの開口の周囲全体に渡って第１ボビン板状部３１Ａの上面から図３の上方へ突出する３重の第１ボビン開口上壁３１Ｃ、３１Ｃ、３１Ｃが設けられている。３重の第１ボビン開口上壁３１Ｃ、３１Ｃ、３１Ｃ間には図３の上方へ開口する内周環状溝３１ｂ、３１ｂが２重に形成されている。
【００５８】
第１ボビン板状部３１Ａの周縁には、第１ボビン板状部３１Ａの上面から図３の上方へ突出する３重の第１ボビン上方壁３１Ｄ、３１Ｄ、３１Ｄが第１ボビンガイド部３１Ｅの部分を除く全周に渡って設けられている。３重の第１ボビン上方壁３１Ｄ、３１Ｄ、３１Ｄ間には図３の上方へ開口する外周環状溝３１ｆ、３１ｆが２重に形成されている。
【００５９】
第１ボビン板状部３１Ａの周縁の一部であって第１ボビン板状部３１Ａに関して第１ボビンガイド部３１Ｅの直径方向の部分には、第１ボビン板状部３１Ａの半径方向外方へ突出する第１ボビンガイド片３１Ｈが設けられている。第１ボビンガイド片３１Ｈが設けられている３重の第１ボビン上方壁３１Ｄの部分には、図３の下方へ一段低い切欠き３１ｇが形成されている。第１絶縁樹脂ボビン３１は絶縁ケースに相当する。
【００６０】
第２絶縁樹脂ボビン４１は略円盤形状をなす第２ボビン板状部４１Ａを有している。第２ボビン板状部４１Ａの周縁の一部には、第２ボビン板状部４１Ａの半径方向外方へ突出する第２ボビンガイド部４１Ｅが設けられている。第２ボビンガイド部４１Ｅの突出端縁には、２つの切欠き４１ｃ、４１ｄが形成されている。切欠き４１ｃ、４１ｄｂに、それぞれ第２の２次巻線５２の軸方向突出引出し部５２Ｃ、平面方向引出し部５２Ｂの軸方向延出部５２Ｇ、５２Ｅの部分が係合可能である。
【００６１】
第２ボビンガイド部４１Ｅの図３に示される上面には、第２ボビンガイド部４１Ｅの延出方向に垂直の方向へ延出する一対の壁部４１Ｉ、４１Ｉが設けられている。一対の壁部４１Ｉ、４１Ｉの間の空間は、後述の第３絶縁樹脂ボビン５１の遮蔽壁５１Ｎが係合可能な遮蔽溝４１ｇを構成する。図１に示されるようにコイル部品１が組立てられることにより、遮蔽溝４１ｇには、後述の第３絶縁樹脂ボビン５１の遮蔽壁５１Ｎが係合する。
【００６２】
上述のように、巻線４２の軸方向において一の巻線４２を挟むように配置された一対の絶縁ケース４１、５１の一方のケース５１の一部であって一の巻線４２の渦状部４２Ａと他の巻線５２の軸方向延出部５２Ｅ、５２Ｇとの間の部分に相当する部分には、一の巻線４２の渦状部４２Ａと他の巻線５２の軸方向延出部５２Ｅ、５２Ｇとを遮蔽する遮蔽壁５１Ｎが設けられ、一対の絶縁ケース４１、５１のうちの他方の絶縁ケース４１の一部であって一の巻線４２の渦状部４２Ａと他の巻線５２の軸方向延出部５２Ｅ、５２Ｇとの間の部分に相当する部分には、遮蔽壁５１Ｎが係合可能な遮蔽溝４１ｇが形成されているため、一の巻線４２の渦状部４２Ａと他の巻線５２の軸方向延出部５２Ｅ、５２Ｇとの間の沿面距離をより長くすることができ、一の巻線４２の渦状部４２Ａと他の巻線５２の軸方向延出部５２Ｅ、５２Ｇとの間の絶縁を図ることができる。
【００６３】
また、一の巻線４２は１次巻線であり、他の巻線５２は２次巻線であるため、コイル部品１を、１次巻線と２次巻線との間の沿面距離をより長くすることで絶縁が図られたトランスとすることができる。
【００６４】
第２ボビン板状部４１Ａの周縁の一部であって第２ボビン板状部４１Ａに関して第２ボビンガイド部４１Ｅの直径方向の部分には、第２ボビン板状部４１Ａの略半径方向外方へ突出する第２反ボビンガイド部４１Ｊが設けられている。第２反ボビンガイド部４１Ｊは第２ボビン板状部４１Ａの図３に示される上面よりも図３の下方へ下がって設けられており、その下がった分だけ図５に示されるように図の下方へ突出している。従って、第２反ボビンガイド部４１Ｊは第２ボビン板状部４１Ａの図３に示される上面に対して凹部をなす。このため、凹部に第２の１次巻線４２の軸方向突出引出し部４２Ｃの略半径方向引出し部４２Ｆを嵌入することで第２の１次巻線４２の軸方向において更にコイル部品１の低背化を図ることができる。
【００６５】
第２反ボビンガイド部４１Ｊの突出端縁には、２つの切欠き４１ｈ、４１ｉが形成されたガイド壁４１Ｋが図３の上方へ延出して設けられている。切欠き４１ｈ、４１ｉは開口が広く構成されており、細い導線であっても切欠き４１ｈ、４１ｉに容易に係合可能に構成されている。切欠き４１ｈ、４１ｉにはそれぞれ第２の１次巻線４２の平面方向引出し部４２Ｂ、軸方向突出引出し部４２Ｃの軸方向延出部４２Ｅ、４２Ｇの部分が係合して支持されるように構成されている。第２反ボビンガイド部４１Ｊは、図１に示されるようにコイル部品１が組立てられることにより、絶縁樹脂端子台２１の１次巻線平面方向引出し部配置部２１Ｆの上方へ配置される。
【００６６】
第２反ボビンガイド部４１Ｊの図５に示される下面には、第２反ボビンガイド部４１Ｊの延出方向に垂直の方向たる図５の下方へ延出する壁部４１Ｌが設けられている。図１に示されるようにコイル部品１が組立てられることにより、壁部４１Ｌは、第１ボビンガイド部３１Ｅの第１ボビンガイド片３１Ｈに近接配置される。このように近接配置されることにより、第１の２次巻線３２の渦状部３２Ａと一の巻線４２の軸方向延出部４２Ｅ、４２Ｇとの間の沿面距離をより長くすることができる。
【００６７】
第２ボビン板状部４１Ａの中央位置には、第２ボビン板状部４１Ａと同軸的に開口する円形の第２ボビン貫通孔４１ａが形成されている。第２ボビン板状部４１Ａの下面であって第２ボビン貫通孔４１ａの開口の周囲には、開口の周囲全体に渡って第２ボビン板状部４１Ａの下面から図５の下方へ突出する２重の第２ボビン開口下壁４１Ｂが設けられている。第２ボビン開口下壁４１Ｂは内周環状凸壁に相当する。図１に示されるようにコイル部品１が組立てられることにより、第２ボビン開口下壁４１Ｂは第１絶縁樹脂ボビン３１の内周環状溝３１ｂに係合する。
【００６８】
また、第２ボビン板状部４１Ａの上面においては第２ボビン貫通孔４１ａの開口の周囲全体に渡って第２ボビン板状部４１Ａの上面から図３の上方へ突出する２重の第２ボビン開口上壁４１Ｃが設けられている。２重の第２ボビン開口上壁４１Ｃの間の空間は内周環状溝４１ｂを構成し、内周環状溝４１ｂには、図１に示されるようにコイル部品１が組立てられることにより、内周環状凸壁に相当する後述の第３絶縁樹脂ボビン５１の第３ボビン開口下壁５１Ｂが係合する。
【００６９】
図５に示されるように、第２ボビン板状部４１Ａの周縁及び第２ボビンガイド部４１Ｅの延出端縁以外の部分の縁部には、第２ボビン板状部４１Ａの下面から図３の下方へ突出する２重の第２ボビン下方壁４１Ｍが設けられている。第２ボビン下方壁４１Ｍは外周環状凸壁に相当する。２重の第２ボビン下方壁４１Ｍは、図１に示されるようにコイル部品１が組立てられることにより、第１絶縁樹脂ボビン３１の３重の第１ボビン上方壁３１Ｄ間に形成された２重の外周環状溝３１ｆに係合する。
【００７０】
上述のように巻線３２等の軸方向において一の巻線３２を挟むように配置された一対の絶縁ケース３１、４１の一方のケース３１の一部であって一の巻線３２の内周相当部分には内周に沿った内周環状溝３１ｂが形成され一の巻線３２の外周相当部分には外周に沿った外周環状溝３１ｆが形成され、一対の絶縁ケースの他方のケース４１の一部であって一の巻線３２の内周相当部分には内周環状溝３１ｂに係合可能な内周環状凸壁４１Ｂが内周に沿って設けられ一の巻線３２の外周相当部分には外周環状溝３１ｆに係合可能な外周環状凸壁４１Ｍが外周に沿って設けられているため、一の巻線３２と、巻線３２の軸方向において一の巻線３２と隣接して積層配置された他の巻線４２との間の沿面距離をより長くすることができ、一の巻線３２と他の巻線４２との間の絶縁を図ることができる。
【００７１】
更に、一の巻線３２は２次巻線であり他の巻線は１次巻線４２であるため、コイル部品１を、１次巻線４２と２次巻線３２との間の沿面距離をより長くすることで絶縁が図られたトランスとすることができる。
【００７２】
また、第２ボビン板状部４１Ａの上面であって第２ボビン板状部４１Ａの周縁及び第２反ボビンガイド部４１Ｊの延出端縁以外の部分の縁部には、図３の上方へ突出する第２ボビン上方壁４１Ｄが設けられている。第２絶縁樹脂ボビン４１は絶縁ケースに相当する。
【００７３】
第３絶縁樹脂ボビン５１は第１絶縁樹脂ボビン３１と略同一形状であるため、第１絶縁樹脂ボビン３１と異なる部分についてのみ説明する。第３絶縁樹脂ボビン５１の第３ボビンガイド部の図５の示される下面には、第３ボビンガイド部の延出方向に垂直の方向へ延出する遮蔽壁５１Ｎが設けられている。
【００７４】
同様に第４絶縁樹脂ボビン６１は第２絶縁樹脂ボビン４１と略同一形状であるため、第２絶縁樹脂ボビン４１と異なる部分についてのみ説明する。第２絶縁樹脂ボビン４１の第２ボビンガイド部４１Ｅの突出端縁には、２つの切欠き４１ｃ、４１ｄが形成されていたが、第４絶縁樹脂ボビン６１にはこのような切欠きは形成されていない。また、第２ボビンガイド部４１Ｅの図３の示される上面には、第２ボビンガイド部４１Ｅの延出方向に垂直の方向へ延出する一対の壁部４１Ｉ、４１Ｉが設けられていたが、第４絶縁樹脂ボビン６１にはこのような壁部は設けられていない。第３絶縁樹脂ボビン５１、第４絶縁樹脂ボビン６１は絶縁ケースに相当する。
【００７５】
絶縁樹脂カバー６３は、円形状のカバー円形部６３Ａを有している。カバー円形部６３Ａの中央には、カバー円形部６３Ａと同軸的に開口する円形のカバー貫通孔６３ａが形成されている。カバー円形部６３Ａの下面であってカバー貫通孔６３ａの開口の周囲には、開口の周囲全体に渡ってカバー円形部６３Ａの下面から図５の下方へ突出するカバー開口壁６３Ｂが設けられている。図１に示されるようにコイル部品１が組立てられることにより、カバー開口壁６３Ｂは第４絶縁樹脂ボビン６１の２重の第４ボビン開口上壁６１Ｃの間の内周環状溝６１ｂに係合する。
【００７６】
また、カバー円形部６３Ａの上面であってカバー貫通孔６３ａの周縁とカバー円形部６３Ａの周縁との中間の部分には、カバー貫通孔６３ａの直径方向位置において対をなして平行に配置された平行壁部６３Ｏ、６３Ｏが設けられている。平行壁部６３Ｏ、６３Ｏは、図１に示されるようにコイル部品１が組立てられることにより、第２磁心１２の側面１２Ｄ、１２Ｄと当接し、カバー円形部６３Ａが第１〜第３の１次巻線２２、３２、５２の軸心を回転軸として回転してしまうことを防止する。絶縁樹脂カバー６３は絶縁ケースに相当する。
【００７７】
以上のような構成のコイル部品１を構成する第１の１次巻線２２、ドライブ巻線２４、第１の２次巻線３２、第２の１次巻線４２、第２の２次巻線５２、第３の１次巻線６２は、図３〜図５に示されるように、同軸的に積層配置されており、第１の１次巻線２２とドライブ巻線２４との間に板状絶縁部材２３が配置され、ドライブ巻線２４と第１の２次巻線３２との間に第１絶縁樹脂ボビン３１が配置され、第１の２次巻線３２と第２の１次巻線４２との間に第２絶縁樹脂ボビン４１が配置され、第２の１次巻線４２と第２の２次巻線５２との間に第３絶縁樹脂ボビン５１が配置され、第２の２次巻線５２と第３の１次巻線６２との間に第４絶縁樹脂ボビン６１が配置される。絶縁樹脂端子台２１は第１の１次巻線２２の図３に示される下側に配置され、絶縁樹脂カバー６３は第３の１次巻線６２の図３に示される上側に配置される。
【００７８】
そして、第１の１次巻線２２の軸方向突出引出し部２２Ｃの略半径方向引出し部２２Ｆは第１の１次巻線２２の略軸方向であってドライブ巻線２４に接近する方向へ突出しており、ドライブ巻線２４の軸方向突出引出し部２４Ｃの略半径方向引出し部２４Ｆはドライブ巻線２４の略軸方向であって第１の１次巻線２２に接近する方向へ突出している。更に第１の１次巻線２２の平面方向引出し部２２Ｂ及び軸方向突出引出し部２２Ｃの略半径方向引出し部２２Ｄ、２２Ｆの引出し方向とドライブ巻線２４の平面方向引出し部２４Ｂ及び軸方向突出引出し部２４Ｃの略半径方向引出し部２４Ｄ、２４Ｆの引出し方向とは、図３に示されるように、渦状部２２Ａ、２４Ａの周方向において異なる位置関係にある。
【００７９】
このため、ドライブ巻線２４の軸方向突出引出し部２４Ｃの略半径方向引出し部２４Ｆを板状絶縁部材２３の絶縁部材ガイド部２３Ｅ内に収容することができ、且つ、第１の１次巻線２２の軸方向突出引出し部２２Ｃの略半径方向引出し部２２Ｆを、第１の１次巻線２２の軸方向において板状絶縁部材２３の円盤形状部２３Ａの下面と、図３の下方へ突出する絶縁部材ガイド部２３Ｅの下端の部分との間の空間に収容することができる。
【００８０】
同様に、第１の２次巻線３２の軸方向突出引出し部３２Ｃの略半径方向引出し部３２Ｆは第１の２次巻線３２の略軸方向であって第２の１次巻線４２に接近する方向へ突出しており、第２の１次巻線４２の軸方向突出引出し部４２Ｃの略半径方向引出し部４２Ｆは第２の１次巻線４２の略軸方向であって第１の２次巻線３２に接近する方向へ突出している。更に第１の２次巻線３２の平面方向引出し部３２Ｂ及び軸方向突出引出し部３２Ｃの略半径方向引出し部３２Ｄ、３２Ｆの引出し方向と第２の１次巻線４２の平面方向引出し部４２Ｂ及び軸方向突出引出し部４２Ｃの略半径方向引出し部４２Ｄ、４２Ｆの引出し方向とは、図３に示されるように、渦状部３２Ａ、４２Ａの周方向において異なる位置関係にある。
【００８１】
このため、第２の１次巻線４２の軸方向突出引出し部４２Ｃの略半径方向引出し部４２Ｆを第２絶縁樹脂ボビン４１の第２反ボビンガイド部４１Ｊ内に収容することができ、且つ、第１の２次巻線３２の軸方向突出引出し部３２Ｃの略半径方向引出し部３２Ｆを、第１の２次巻線３２の軸方向において第２絶縁樹脂ボビン４１の第２ボビン板状部４１Ａの下面と、図３の下方へ突出する第２反ボビンガイド部４１Ｊの下端の部分との間の空間に収容することができる。
【００８２】
同様に第２の２次巻線５２の軸方向突出引出し部５２Ｃの略半径方向引出し部５２Ｆは第２の２次巻線５２の略軸方向であって第３の１次巻線６２に接近する方向へ突出しており、第３の１次巻線６２の軸方向突出引出し部６２Ｃの略半径方向引出し部６２Ｆは第３の１次巻線６２の略軸方向であって第２の２次巻線５２に接近する方向へ突出している。更に第２の２次巻線５２の平面方向引出し部５２Ｂ及び軸方向突出引出し部５２Ｃの略半径方向引出し部５２Ｄ、５２Ｆの引出し方向と第３の１次巻線６２の平面方向引出し部６２Ｂ及び軸方向突出引出し部６２Ｃの略半径方向引出し部６２Ｄ、６２Ｆの引出し方向とは、図３に示されるように、渦状部５２Ａ、６２Ａの周方向において異なる位置関係にある。
【００８３】
このため、第３の１次巻線６２の軸方向突出引出し部６２Ｃの略半径方向引出し部６２Ｆを第４絶縁樹脂ボビン６１の第４反ボビンガイド部６１Ｊ内に収容することができ、且つ、第２の２次巻線５２の軸方向突出引出し部５２Ｃの略半径方向引出し部５２Ｆを、第２の２次巻線５２の軸方向において第４絶縁樹脂ボビン６１の第４ボビン板状部６１Ａの下面と、図３の下方へ突出する第４反ボビンガイド部６１Ｊの下端の部分との間の空間に収容することができる。
【００８４】
上述のように隣接して積層配置された２つの巻線、例えば巻線２２、２４のうちの一方の巻線２２の渦状部２２Ａと他方の巻線２４の渦状部２４Ａとの間の、巻線２２、２４を構成する導線１本分と絶縁ケースたる板状絶縁部材２３の厚みとを足し合わせた空間において、一方の巻線２２の軸方向突出引出し部２２Ｃの略半径方向引出し部２２Ｆと他方の巻線２４の軸方向突出引出し部２４Ｃの略半径方向引出し部２４Ｆとを収容することができる。このため、全ての軸方向突出引出し部の突出方向の突出方向を巻線の軸方向であって同一の方向へ突出させた場合と比較して、隣接して積層配置された２つの巻線一対、例えば巻線２２と巻線２４について、これらの導線を構成する導線１本分巻線２２、２４の軸方向においてコイル部品１の寸法を小さくすることができる。
【００８５】
また、図３に示されるように、巻線の軸方向において第２の２次巻線５２は第２の１次巻線４２と第３の１次巻線６２とに挟まれる位置関係で積層配置され、第１の２次巻線３２は後述のように１次側にあるドライブ巻線２４と第２の１次巻線４２とに挟まれる位置関係で積層配置されている。このため、１次巻線２２、４２、６２及びドライブ巻線２４と２次巻線３２、５２との間の磁気結合をよりよくすることができる。
【００８６】
テープ１３は絶縁性の材料により構成されており、図１に示されるように、コイル部品１が組立てられた後にテープ１３により第１磁心１１、第２磁心１２の周面が巻回される。
【００８７】
上述したコイル部品１は図６に示されるような回路構成をなしている。第１〜第３の１次巻線２２、３２、５２及びドライブ巻線２４が１次側に配置され、第１、第２の２次巻線３２、５２が２次側に配置された電源トランスの構成を採る。第１〜第３の１次巻線２２、４２、６２及びドライブ巻線２４の軸方向延出部２２Ｄ、２２Ｇ、２４Ｄ、２４Ｇ、４２Ｄ、４２Ｇ、６２Ｄ、６２Ｇ、第１、第２の２次巻線３２、５２の軸方向延出部３２Ｄ、３２Ｇ、５２Ｄ、５２Ｇは、前述のようにそれぞれ外部端子たるピン端子をなす。
【００８８】
第１の１次巻線２２の軸方向延出部２２Ｇと第２の１次巻線４２の４２Ｅとは、図示せぬ実装基板のランドパターンにより実装基板上で電気的に接続される。また、第２の１次巻線４２の軸方向延出部４２Ｇと第３の１次巻線６２の６２Ｅとは、実装基板のランドパターンにより実装基板上で電気的に接続される。
【００８９】
また、第２の２次巻線５２の軸方向延出部５２Ｅと第１の２次巻線３２の軸方向延出部３２Ｅとは、実装基板のランドパターンにより実装基板上で電気的に接続される。また、第２の２次巻線５２の軸方向延出部５２Ｇと第１の２次巻線３２の軸方向延出部３２Ｇとは、実装基板のランドパターンにより実装基板上で電気的に接続される。
【００９０】
本発明のコイル部品は、上述した実施の形態に限定されず、特許請求の範囲に記載した範囲で種々の変形や改良が可能である。例えば、第１磁心１１、第２磁心１２は、Ｍｎ−Ｚｎからなる導電性フェライトコアにより構成されたが、これに限定されない。例えば、金属圧粉磁心などの導電性コアや、Ｎｉ系フェライトコアにより構成されてもよい。
【００９１】
また、１次巻線、２次巻線の個数は本実施の形態の個数に限定されない。同様に絶縁樹脂端子台等の絶縁ケースの個数も本実施の形態の個数に限定されず、１次巻線、２次巻線の個数に応じて適宜決定すればよい。
【産業上の利用可能性】
【００９２】
本発明のコイル部品は、特に電源装置などに用いられるトランスやチョークコイルなどのインダクタンス部品等の分野において特に有用である。
【符号の説明】
【００９３】
１          コイル部品
１１        第１磁心
１２        第2磁心
２１        絶縁樹脂端子台
２２        第１の１次巻線
２３        板状絶縁部材
２４        ドライブ巻線
２３Ｂ      内周環状凸部
２３ｂ、３１ｂ、４１ｂ                  内周環状溝
２１Ｈ      遮蔽壁
２２Ａ、３２Ａ、４２Ａ、５２Ａ、６２Ａ      渦状部
２２Ｂ、３２Ｂ、４２Ｂ、５２Ｂ、６２Ｂ      平面方向引出し部
２２Ｃ、３２Ｃ、４２Ｃ、５２Ｃ、６２Ｃ      軸方向突出引出し部
２２ａ、３２ａ、４２ａ、５２ａ、６２ａ      コア挿通空間
３１        第１絶縁樹脂ボビン
３２        第１の２次巻線
４１        第２絶縁樹脂ボビン
４２        第２の１次巻線
５１        第３絶縁樹脂ボビン
５２        第３の１次巻線
６１        第４絶縁樹脂ボビン
６２        第３の１次巻線
６３        絶縁樹脂カバー
【図１】
2010171161.tif 000003
【図２】
2010171161.tif 000004
【図３】
2010171161.tif 000005
【図４】
2010171161.tif 000006
【図５】
2010171161.tif 000007
【図６】
2010171161.tif 000008